(57)【要約】【課題】細径の被覆電線から太径の被覆電線まで覆うことができる絶縁性スリーブカバーを提供し、製造コストを軽減させる。【解決手段】合成樹脂材料により成形された一対の略半円筒状のカバー部材２，３を閉じることにより外径が異なる少なくとも２種類の被覆電線を覆い得るスリーブカバーであって、該カバー部材の内面に長手方向の間隔を置いて複数のズレ止片１０，１１を一体に形成し、該ズレ止片のうち該カバー部材の長手方向中央部寄りに形成されたズレ止片１０は該カバー部材を閉じた際に被覆電線の導電線２２ｔ，２３ｔどうしを連結している導電性筒体２４ｔの外周面に当たって屈折し得るようにすることで対比上太径の被覆電線２０ｔ，２１ｔを覆う。【選択図】図１０
2013093258.tif 000002
【特許請求の範囲】
【請求項１】
合成樹脂材料により成形された一対の略半円筒状のカバー部材を閉じることにより外径が異なる少なくとも２種類の被覆電線を覆い得るスリーブカバーであって、該カバー部材の内面に長手方向の間隔を置いて複数のズレ止片を一体に形成し、該ズレ止片のうち該カバー部材の長手方向中央部寄りに形成されたズレ止片は該カバー部材を閉じた際に被覆電線の導電線どうしを連結している導電性筒体の外周面に当たって屈折し得るようにすることで対比上太径の被覆電線を覆い得るようにしたことを特徴とする絶縁性スリーブカバー。
【請求項２】
両カバー部材を閉じた状態でのスリーブカバーの外径が直径３５ｍｍの円内に収まるように両カバー部材に閉止手段を一体に成形した請求項１に記載した絶縁性スリーブカバー。
【請求項３】
カバー部材の外側面に細径部を介してツマミ片を一体に成形し、両カバー部材を閉じて被覆電線を覆った後に該細径部から該ツマミ片を離脱することによりスリーブカバーの外径が直径３５ｍｍの円内に収まるようにした請求項１または２に記載した絶縁性スリーブカバー。
【発明の詳細な説明】
【技術分野】
【０００１】
本発明は、空中に架設される被覆電線の連結部を覆うための絶縁性スリーブカバーに関するものである。
【背景技術】
【０００２】
図１６に示したように、電柱等により空中に架設される被覆電線１００は、端部の被覆を取り除いて導電線１０１を剥き出しにし、連結しようとする相手の被覆電線１０２についても同様に端部の被覆を取り除いて導電線１０３を剥き出しにし、導電性筒体１０４の両端開口部に該各導電線１０１，１０３の先端部を突っ込んだ後、該導電性筒体１０４をペンチ等の工具で挟んで加圧し潰すことにより、該導電線１０１，１０３の先端部が該筒体１０４中から抜けないように連結することで該導電線どうしを電気的に導通させる一方、予め被覆電線１０２の外周に挿通させておいた絶縁性のスリーブカバー１０５を矢印の方向に横スライドさせ、図１７に示したように、該連結部を該スリーブカバー１０５によって覆い、該スリーブカバーの両端部に絶縁テープ１０６を巻着することで該連結部を保護するようにしている。
【０００３】
しかし、上記スリーブカバー１０５は、導電線１０１と導電線１０３を連結する前に予め被覆電線１０２の外周に挿通させておかなければならないものであるので、風雪や日光にさらされて劣化した場合でも簡単に取り替えることができない欠点があるとともに、絶縁テープ１０６をしっかりと巻着しないと該スリーブカバー１０５がズレてしまって連結部が剥き出しになるおそれがあった。
【０００４】
一方、下記特許文献１、２に示されたスリーブカバーは、弾性合成樹脂製の円筒体が長手方向に分割され、該分割個所を開いて被覆電線の連結個所に被せることで、いわゆる後付することができるものである。
また、下記特許文献３に示されたスリーブカバーは、円筒を半割した一対の半円筒体が肉薄の可撓性部を介して開閉自在に連結され、被覆電線の連結個所に該半円筒体を開状態にして被せることで後付することができるものである。
【先行技術文献】
【特許文献】
【０００５】
【特許文献１】実公平１−２１５０２号公報
【特許文献２】実公平２−５６１３号公報
【特許文献３】特開２００９−４３６６６号公報
【発明の概要】
【発明が解決しようとする課題】
【０００６】
ところで、被覆電線は、一般に銅線またはアルミ線を導電線とし、その周囲にポリエチレン等の絶縁被覆を施したものであるが、表１に銅線を導電線とする被覆電線の標準寸法を示す。（電力用規格Ｃ−１０６、Ｃ−１０７）。銅線を導電線とする被覆電線としては、この表に示した公称断面積が２２ｍｍ２のものから８０ｍｍ２のものが多用されている。なお、同表に示したように例えば公称断面積が２２ｍｍ２のものは導電線の外径が６．０ｍｍで絶縁被覆を含めた仕上外径が１０ｍｍ、公称断面積が３８ｍｍ２のものは導電線の外径が７．８ｍｍで、絶縁被覆を含めた仕上外径が１２ｍｍ、公称断面積が８０ｍｍ２のものは導電線の外径が１１．５ｍｍで、絶縁被覆を含めた仕上外径が１６．５ｍｍである。また、表２にはアルミ線を導電線とする公称断面積が３０ｍｍ２と５５ｍｍ２と９５ｍｍ２の被覆電線の標準寸法をそれぞれ示す。（電力用規格Ｃ−２５１）。
【０００７】
【表１】
2013093258.tif 000003
【０００８】
【表２】
2013093258.tif 000004
【０００９】
このように被覆電線には種々の太さがあるため、上記スリーブカバーにおいても、従来ではこれらの太さに適合する数多くの製品を製造する必要があり、このことが製造コストやその製品管理費等を増大させる要因となっているとともに、スリーブカバーを取着する工事の際にも寸法間違いがないように注意が必要であった。
【００１０】
また、空中に架設された被覆電線は、例えば建築工事中におけるクレーンとの接触、或いは樹木との接触を防ぐために、該被覆電線の外周に建築支障用防護管（ポリ管ともいわれる）を一時的或いは恒久的に取り付ける必要がある。しかし、従来のスリーブカバーは、半円筒体を閉状態に止着するために設けられている係合部、弾性ピンなどの閉止手段を含めた外径が大きいために、スリーブカバーの上にこの建築支障用防護管を被せられなくなるという問題があった。
【課題を解決するための手段】
【００１１】
本発明は、上記問題点を解決しようとするもので、合成樹脂材料により成形された一対の略半円筒状のカバー部材を閉じることにより外径が異なる少なくとも２種類の被覆電線を覆い得るスリーブカバーであって、該カバー部材の内面に長手方向の間隔を置いて複数のズレ止片を一体に形成し、該ズレ止片のうち該カバー部材の長手方向中央部寄りに形成されたズレ止片は該カバー部材を閉じた際に被覆電線の導電線どうしを連結している導電性筒体の外周面に当たって屈折し得るようにすることで対比上太径の被覆電線を覆い得るようにしたことを特徴とする。
【００１２】
また、本発明は、合成樹脂材料により成形された一対の略半円筒状のカバー部材を閉じることにより外径が異なる少なくとも２種類の被覆電線を覆い得るスリーブカバーであって、該カバー部材の長手方向中央部寄りの内面に第１ズレ止片を形成し、該第１ズレ止片よりも長手方向端部寄りの該カバー部材の内面に第２ズレ止片を形成し、対比上細径の被覆電線を該スリーブカバーによって覆った際に該第１ズレ止片を該被覆電線の導電線どうしを連結している導電性筒体の両側の被覆剥取部に介入させ、対比上太径の被覆電線を該スリーブカバーによって覆った際は前記第１ズレ止片は該被覆電線の導電線どうしを連結している導電性筒体の外周面に当たって屈折する一方、前記第２ズレ止片が該導電性筒体の両側の被覆剥取部に介入するようにしたことを特徴とする。
【００１３】
また、本発明は上記絶縁性スリーブカバーにおいて、両カバー部材を閉じた状態でのスリーブカバーの外径が直径３５ｍｍの円内に収まるように両カバー部材に閉止手段を一体に成形したことを特徴とする。
また、本発明は上記絶縁性スリーブカバーにおいて、カバー部材の外側面に細径部を介してツマミ片を一体に成形し、両カバー部材を閉じて被覆電線を覆った後に該細径部から該ツマミ片を離脱することによりスリーブカバーの外径が直径３５ｍｍの円内に収まるようにしたことを特徴とする。
【発明の効果】
【００１４】
本発明によれば、一種類の絶縁性スリーブカバーにより対比上細径の被覆電線から対比上太径の被覆電線まで覆うことが可能で、被覆電線の太さに対する汎用性が増すため、従来のように被覆電線の太さごとに多種類のものを製造する必要がなくなる。このため、製造コストを大幅に軽減することができるとともに、寸法間違いのおそれもなく取着工事が容易になる。
【図面の簡単な説明】
【００１５】
【図１】本発明に係る絶縁性スリーブカバーの開状態の斜視図。
【図２】本発明に係る絶縁性スリーブカバーの開状態の平面図。
【図３】図２のＡ−Ａ線断面図。
【図４】図２のＢ−Ｂ線断面図。
【図５】図２のＣ−Ｃ線断面図。
【図６】本発明に係る絶縁性スリーブカバーによって被覆電線を覆った際の斜視図。
【図７】対比上細径の被覆電線を本発明に係る絶縁性スリーブカバーによって覆った際の縦断面図。
【図８】図７のＤ−Ｄ線断面図。
【図９】図７のＥ−Ｅ線断面図。
【図１０】対比上太径の被覆電線を本発明に係る絶縁性スリーブカバーによって覆った際の縦断面図。
【図１１】図１０のＦ−Ｆ線断面図。
【図１２】図１０のＧ−Ｇ線断面図。
【図１３】本発明の他の実施形態を示す絶縁性スリーブカバーの開状態の平面図。
【図１４】本発明の他の実施形態を示す絶縁性スリーブカバーの開状態の平面図。
【図１５】図１４のＨ−Ｈ線断面図。
【図１６】従来のスリーブカバーを被せる際の被覆電線の側面図。
【図１７】従来のスリーブカバーを被せた被覆電線の側面図。
【発明を実施するための最良の形態】
【００１６】
この絶縁性スリーブカバー１は、図１〜図３に示したように、耐候性を有する合成樹脂を射出成形することにより、例えば外周面の半径が１６．５ｍｍの略半筒状のカバー部材２と、同径の略半筒状のカバー部材３とが、相対する一側縁に肉薄状に形成された折曲部４を介して一体に形成されたもので、該両カバー部材２，３の両端部には先細状なるように略半円錐筒状の延長部５がそれぞれ一体に成形され、その全長が例えば４４０ｍｍとなるようにしている。そして該各延長部５に長手方向のスリ割６が形成され、該スリ割６により分割されることで該延長部５が半径方向に弾性的に拡縮し得るようにしている。なお、７は一方のカバー部材２の外側面に細径部８を介して一体に成形された板状のツマミ片で、該ツマミ片７は両面に滑り止めのための凹凸を形成している。
【００１７】
また、カバー部材２，３の内面の長手方向中央部寄りに間隔Ｌ１（例えば１４０ｍｍ）を離して一対の第１ズレ止片１０を一体に形成し、該第１ズレ止片よりも長手方向端部寄りの該カバー部材の内面に間隔Ｌ２（例えば２１０ｍｍ）を離して一対の第２ズレ止片１１を一体に形成する。即ち、間隔Ｌ１＜間隔Ｌ２とする。該第１ズレ止片１０は、カバー部材２，３の内面に幅方向の隙間Ｇ１を隔てて長手方向に長い板状の２本の突片１０ａ，１０ｂを並設してなるもので、図４に示したように、該スリーブカバー１の中心点Ｏから該突片１０ａ，１０ｂの先端縁に至る距離がＲ１（例えば４ｍｍ）となるように該突片１０ａ，１０ｂの起立高さ（カバー部材２，３の内周面からの距離）、隙間Ｇ１等の寸法が設定される。なお、該突片１０ａ，１０ｂの先端縁の相対する内側は面取りがなされている。また、第２ズレ止片１１は、幅方向に長い鍔状のもので、先端縁１２が円弧状に切り欠かれ、図５に示したように、該スリーブカバー１の中心点Ｏから該先端縁１２に至る距離がＲ２（例えば６．５ｍｍ）となるように該第２ズレ止片１１の起立高さ（カバー部材２，３の内周面からの距離）等が設定される。ここで、距離Ｒ１＜距離Ｒ２とする。
【００１８】
また、１５は閉止手段を構成するべく一方のカバー部材２の前記屈折部４と反対側縁に適宜間隔を置いて一体に突設された係合突起、１６は他方のカバー部材３の前記折曲部４と反対側縁の内側に該係合突起と相対するように形成された係合孔である。該係合突起１５の先端縁には鈎状係合部が形成され、該鈎状係合部が係合孔１６内に係合し得るようにしている。なお、１７は該カバー部材３の一側縁に前記屈折部４に沿って張り出すように一体に形成された内縁リブ、１８は該カバー部材３の他側縁であって前記係合孔１６よりもさらに内側にて張り出すように一体に形成された内縁リブ、１９はカバー内に雨水が蓄積されないようにする水抜き用の小孔を設けるために、カバー部材２，３の両端部に形成した小さい半円状の切欠である。
【００１９】
この絶縁性スリーブカバー１は、図６に被覆電線への被着状態を示すように、被覆電線２０と被覆電線２１の接合部分を挟むようにカバー部材２とカバー部材３とを閉じると共に、係合突起１５を係合孔１６に係合させ、その閉止状態が保持されるようにすることで、被覆電線２０と被覆電線２１との接合部分がこの絶縁性スリーブカバー１により覆われるようにする。図７は、銅線を導電線とする公称断面積３８ｍｍ２の被覆電線２０ｓ，２１ｓ（この被覆電線２０ｓ，２１ｓは後述する公称断面積８０ｍｍ２の被覆電線２０ｔ，２１ｔと比較して対比上細径であるため、以下では対比上細径の被覆電線２０ｓ，２１ｓという）をこの絶縁性スリーブカバー１により覆ったときの縦断面図で、２２ｓ，２３ｓは該被覆電線２０ｓ，２１ｓの被覆剥取部に現れた導電線、２４ｓは該導電線どうしを連結している導電性筒体である。該導電性筒体２４ｓは通常は外径が被覆電線２０ｓ，２１ｓの外径と同程度のものとなる。このように絶縁性スリーブカバー１により対比上細径の被覆電線２０ｓ，２１ｓを覆ったときは、図８に示したように、第１ズレ止片１０が該被覆電線２０ｓ，２１ｓの被覆剥取部に介入することで該絶縁性スリーブカバー１が長手方向に大きくずれることが防がれる。従って、第１ズレ止片１０はこの被覆剥取部に介入し長手方向へのズレを防ぎ得るように上記距離Ｒ１が設定される。またその際、図９に示したように、第２ズレ止片１１はその円弧状先端縁１２を被覆電線２０ｓ，２１ｓの外周面に対峙した状態となる。
なお、上記表１に示した公称断面積２２ｍｍ２および公称断面積３８ｍｍ２の対比上細径の被覆電線、および表２に示した公称断面積３０ｍｍ２の対比上細径の被覆電線のいずれをもこの方式により覆うことができる。
【００２０】
一方、銅線を導電線とする公称断面積８０ｍｍ２の対比上太径の被覆電線２０ｔ，２１ｔをこの絶縁性スリーブカバー１により覆ったときの縦断面図を図１０に示す。この場合は当然に導電線２２ｔ，２３ｔは対比上太径となり、導電性筒体２４ｔについては該被覆電線２０ｔ，２１ｔの外径と同程度に太径となるだけでなく、長さも対比上長いものが用いられる。このため、第１ズレ止片１０は、図１１に示したように、該導電性筒体２４ｔの外周面に突き当たって両突片１０ａ，１０ｂがその隙間Ｇ１を拡開させる如くに幅方向に弾性的に屈折する。これにより、カバー部材２とカバー部材３とが上記閉止手段により支障無く閉じることができる。この際、図１０、図１２に示したように、第２ズレ止片１１が被覆電線２０ｔ，２１ｔの被覆剥取部に介入することにより、該絶縁性スリーブカバー１が長手方向に大きくずれることがない。このため、第２ズレ止片１１は、この被覆剥取部に介入し長手方向へのズレを防ぎ得るように上記距離Ｒ２が設定される。なお、被覆電線２０ｔ，２１ｔを挟着した際に前記延長部５は半径方向に拡開することによりその外径にも柔軟に対処し得る。
このため、上記表１に示した公称断面積６０ｍｍ２および公称断面積８０ｍｍ２の対比上太径の被覆電線、および表２に示した公称断面積５５ｍｍ２および公称断面積９５ｍｍ２の対比上太径の被覆電線をいずれもこの方式により覆うことができる。
【００２１】
また、前記内縁リブ１７は、係合突起１５と係合孔１６との係合箇所の内側に位置し、先端縁がカバー部材２の内面に当接する。また、前記内縁リブ１８は、屈折部４の内側に位置し、先端縁がカバー部材２の内面に当接するようにしている。この内縁リブ１７および内縁リブ１８は、カバーの形状保持と異物、塵埃、強雨等の防ぐ目的で形成される。
【００２２】
このように本発明に係る絶縁性スリーブカバーは、第１ズレ止片１０または第２ズレ止片１１を被覆剥取部に介入させることにより、被覆電線が細径であるか太径であるかにかかわりなく横ズレすることなく覆うことができる。即ち、この実施形態に各部の寸法を例示したように、一つの射出成形金型によって成形された同一形状、同一寸法の絶縁性スリーブカバーでも、表１、表２の示した対比上細径の被覆電線から対比上太径の被覆電線まで覆うことが可能となる。このため被覆電線の太さに応じた多種類のものを用意する必要がなくなり汎用性が増し、その結果、製造コストを大幅に軽減することができるとともに取着工事も容易になる。
【００２３】
また、上記のように両カバー部材２，３を閉じてこの絶縁性スリーブカバー１を被覆電線に被着する工事に際して、ヤットコ等の挟着工具で前記ツマミ片７を挟むことにより、カバー部材２を保持できるので高所の架空電線にも容易に工事をすることができる。ツマミ片７は、この工事を終えた後に、そのヤットコ等の工具を捻じって細径部８から引きちぎることで、カバー部材２から離脱させる。こうしてツマミ片７を離脱することによりこの絶縁性スリーブカバー１の外径が直径３５ｍｍの円内に収まるように設定される。また、閉止手段である前記係合突起１５は、係合孔１６に嵌め込むことにより、外周が丸くなることから、この部分の外径も直径３５ｍｍの円内に収まるようにしている。このため、本発明に係る絶縁性スリーブカバーを被着しても、既存の建築支障用防護管を支障なくその上に被せることができる。このように本発明に係る絶縁性スリーブカバーでは、建築支障用防護管を被せることの妨げを最小限にすることができる。
【００２４】
なお、上記実施形態は、カバー部材２，３の内面に長手方向に間隔を置いて第１ズレ止片１０と第２ズレ止片１１との２つのズレ止片を形成した例を示したが、図１３は上記第１ズレ止片１０のようにそれぞれ２本の突片３１ａ，３１ｂ〜３３ａ，３３ｂからなるものであって、該ズレ止片３１〜３３を長手方向に適宜間隔を置いてさらに多く設けた実施形態を示す。この場合、長手方向両端縁寄りに位置するズレ止片ほど長手方向中心部寄りに位置する２本の突片間の隙間Ｇ１〜Ｇ３が広くなるよう設定する（即ち、隙間Ｇ１＜隙間Ｇ３とする。）ことが望ましい。なお、図１３中の図２と同一符号は同一部分を示す。このように隙間Ｇ１〜Ｇ３を設定することにより、太さが異なるさらに多種の被覆電線をも覆うことが可能となる。
【００２５】
また、図１４に示した実施形態は、前記第２ズレ止片１１のような鍔状のズレ止片３４〜３７を長手方向に適宜間隔を置いて形成し、図１５に示したように、該各ズレ止片３４〜３７の先端縁３８に複数本の切目３９を形成することにより該先端縁が弾性的に折れ曲がるようにしたものである。この実施形態の場合も、長手方向中心部寄りに位置するズレ止片ほど、上記のように導電性筒体２４ｔの外周面に突き当たった際に容易に折れ曲がり得るように、切目３９の本数や幅寸法、或いは該各ズレ止片３４〜３７の肉厚を調整するのがよい。なお、図１４，図１５中の図２，図５と同一符号は同一部分を示す。
【００２６】
本発明に係る絶縁性スリーブカバーは、これらの実施形態しも示したように、カバー部材の内面に多数のズレ止片を形成することにより、外径の異なる被覆電線に対するフレキシビリティーをさらに増すことができる。
【符号の説明】
【００２７】
１                絶縁性スリーブカバー
２，３            カバー部材
４                折曲部
５                延長部
６                スリ割
７                ツマミ片
８                細径部
１０              第１ズレ止片
１０ａ，１０ｂ    突片
１１              第２ズレ止片
１５              係合突起
１６              係合孔
２０ｓ，２１ｓ    対比上細径の被覆電線
２０ｔ，２１ｔ    対比上太径の被覆電線
２２ｓ，２３ｓ    対比上細径の被覆電線の導電線
２２ｔ，２３ｔ    対比上太径の被覆電線の導電線
２４ｓ，２４ｔ    導電性筒体
Ｌ１，Ｌ２        間隔
Ｇ１〜Ｇ３        隙間
Ｏ                中心点
Ｒ１              中心点から第１ズレ止片までの距離
Ｒ２              中心点から第２ズレ止片までの距離
３１〜３３        ズレ止片
３４〜３７        ズレ止片
３９              切目
【図１】
2013093258.tif 000005
【図２】
2013093258.tif 000006
【図３】
2013093258.tif 000007
【図４】
2013093258.tif 000008
【図５】
2013093258.tif 000009
【図６】
2013093258.tif 000010
【図７】
2013093258.tif 000011
【図８】
2013093258.tif 000012
【図９】
2013093258.tif 000013
【図１０】
2013093258.tif 000014
【図１１】
2013093258.tif 000015
【図１２】
2013093258.tif 000016
【図１３】
2013093258.tif 000017
【図１４】
2013093258.tif 000018
【図１５】
2013093258.tif 000019
【図１６】
2013093258.tif 000020
【図１７】
2013093258.tif 000021